(57)【特許請求の範囲】
【請求項１】
上部シェルと、調整ボックスと、１つ以上の内部ピンと、載置アームと、外部ピンと、支柱と、バイアス部材とを備える装置であって、
前記上部シェルは、第１の内端部から第２の外端部に伸びる上面と、前記上面から下方に伸びて対向する側部を有し、前記上面と前記対向する側部によって区切られて当該上部シェル内に内部領域が画定され、前記第１の内端部に当該上部シェルの前記対向する側部を通って内部ピンホールが設けられ、前記第２の外端部に前記対向する側部を通って外部ピンホールが設けられ、
前記調整ボックスは、
特定の軸を有する旋回構造と、当該旋回構造の軸に垂直な第１の支柱軸を備える第１の支柱載置部と、前記旋回構造の軸に垂直の、当該調整ボックスを通る内部孔と、前記旋回構造の軸に垂直の、当該調整ボックスを通るスロットと、を備え、
前記１つ以上の内部ピンは、前記調整ボックスの前記内部孔を通り、前記上部シェルの前記内部ピンホールを通って伸び、前記調整ボックスが、前記第１の内端部で前記上部シェルの対向する側部に旋回可能に取り付けられ、
前記載置アームは、
特定の軸を有するアーム旋回構造と、前記アーム旋回構造の軸に垂直な当該載置アームを通って画定される支柱アーム載置孔と、前記アーム旋回構造の軸に垂直で、前記支柱アーム載置孔と同軸であり、当該載置アームを通って画定されるバイアス部材旋回孔と、を備え、
前記外部ピンは、前記バイアス部材旋回孔を通り、前記外部ピンホールを通って伸び、前記載置アームが、前記第２の外端部で前記上部シェルの前記対向する側部に旋回可能に取り付けられ、
前記支柱は、前記載置アームの前記支柱アーム載置孔と、前記調整ボックスの前記内部孔と、の間に延在し、旋回可能に接続され、
前記バイアス部材は、前記載置アームの前記バイアス部材旋回孔と、前記調整ボックスの前記スロットと、の間に旋回可能に取り付けられ、
前記上部シェル、前記調整ボックス、前記載置アーム、及び前記支柱と、の間に、四棒リンク機構が形成され、
前記支柱と前記バイアス部材とは、前記上部シェルの前記内部領域内に配置され、
前記調整ボックスの前記旋回構造と、前記載置アームの前記アーム旋回構造とは、前記上部シェルの前記内部領域から外側に伸びる、
ことを特徴とする装置。
【請求項２】
前記スロットは、湾曲スロット又は非線形スロットのいずれかを備え、前記バイアス部材は、前記スロットと関連する複数の位置のうちの１つの位置で旋回可能に取り付けられる、
請求項１に記載の装置。
【請求項３】
前記スロットは、円弧状である、
請求項２に記載の装置。
【請求項４】
前記調整ボックスは、上端部と、当該上端部に対向する下端部と、第１の側部と、当該第１の側部に対向する第２の側部と、前記下端部と前記上端部との間で画定される旋回孔と、前記上端部と前記下端部との間で画定される溝と、を備え、
前記溝内に配置され、第１の端部においてそこを垂直に貫通するネジ孔と、当該第１の端部に対向する第２の端部において、そこを横方向に貫通して画定される調整スロットと、を備える調整ブロックと、
前記旋回孔内で、前記調整ボックスの前記下端部と、前記上端部と、の間で前記調整ブロックの前記ネジ孔を貫通して延在するネジと、
前記調整スロットと、前記調整ボックスに備えられた前記スロットと、の間に配置されたピンと、を更に備え、
前記ネジの回転により、前記溝内の前記調整ボックスを垂直に移動させ、前記調整スロットと、前記調整ボックスに備えられた前記スロットと、に関連して前記ピンが移動する、
請求項２に記載の装置。
【請求項５】
前記上部シェルの前記対向する側部の間に伸長し、固定的に取り付けられる下部カバーを、更に備える、
請求項１に記載の装置。
【請求項６】
前記調整ボックスの前記旋回構造は、前記上部シェルから下方に伸び、前記下部カバーを貫通する、
請求項５に記載の装置。
【請求項７】
前記載置アームの前記アーム旋回構造は、前記上部シェルから下方に伸び、前記下部カバーを貫通する、
請求項５に記載の装置。
【請求項８】
前記上部シェルは、アルミニウムから形成された、
請求項１に記載の装置。
【請求項９】
前記上部シェルは、更に粉状被覆層を備える、
請求項１に記載の装置。
【請求項１０】
前記載置アームの前記アーム旋回構造は、モニターに接続可能である、
請求項１に記載の装置。
【請求項１１】
載置アームと、調整ボックスと、支柱部材と、バイアス部材と、上部シェルと、を備えるアーム構造であって、
前記載置アームは、特定の軸を有するアーム旋回構造と、前記アーム旋回構造の軸に垂直な当該載置アームを通って画定される支柱アーム載置孔と、前記アーム旋回構造の軸に垂直で、前記支柱アーム載置孔と同軸である当該載置アームを通って画定されるバイアス部材旋回孔と、を備え、
前記調整ボックスは、特定の軸を有する旋回構造と、当該旋回構造の軸に垂直な支柱載置孔と、前記旋回構造の軸に垂直の、当該調整ボックスを通る内部孔と、湾曲又は非線形状のいずれかのスロットであり、前記旋回構造の軸に垂直の、当該調整ボックスを通るスロットと、を備え、
前記支柱部材は、前記支柱アーム載置孔と、前記支柱載置孔との間に、旋回可能に設けられ、
前記バイアス部材は、第１の端部と、当該第１の端部と対向する第２の端部とを有し、前記第１の端部は、前記バイアス部材旋回孔に旋回可能に取り付けられ、前記第２の端部は、前記スロットに旋回可能に取り付けられ、
前記上部シェルは、前記載置アームの前記支柱アーム載置孔と、前記調整ボックスの前記内部孔との間に旋回可能に設けられ、第１の内端部から第２の外端部へ伸びる上面と、前記上面から下方向に伸びる対向する側部を備え、前記上面と前記対向する側部とによって区切られた前記上部シェル内に内部領域を画定し、
前記支柱部材と、前記バイアス部材とは、前記上部シェルの前記内部領域内に配置された、
ことを特徴とするアーム構造。
【請求項１２】
前記スロットは、円弧状である、
請求項１１に記載のアーム構造。
【請求項１３】
前記スロットを通って主として拘束される支柱載置ピンを更に備え、
前記バイアス部材は、前記支柱載置ピンに取り付けられた、
請求項１１に記載のアーム構造。
【請求項１４】
前記バイアス部材の前記第２の端部の位置は、前記スロット内の複数の位置に対して調整可能である、
請求項１１に記載のアーム構造。
【請求項１５】
前記スロットに対する前記バイアス部材の前記第２の端部の複数の位置により、当該アーム構造を選択的に釣り合い調整する、
請求項１４に記載のアーム構造。
【請求項１６】
前記調整ボックスの前記旋回構造は、伸長アームに接続可能である、
請求項１１に記載のアーム構造。
【請求項１７】
前記載置アームの前記アーム旋回構造は、モニター載置機構に接続可能である、
請求項１１に記載のアーム構造。
【請求項１８】
前記バイアス部材は、ガススプリングからなる、
請求項１１に記載のアーム構造。
【請求項１９】
前記上部シェルは、当該アーム構造の上部を実質的に被覆しており、
当該アーム構造は、
前記上部シェルの前記側部と、前記載置アームと、の間に取り付けられた外部ピンと、
前記上部シェルの前記側部と、前記調整ボックスと、の間に取り付けられた内部ピンと、
を更に備える、
請求項１１に記載のアーム構造。
【請求項２０】
前記上部シェルの前記対向する側部の下端部の間に延在し、固定的に取り付け可能である下部カバーを更に備える、
請求項１９に記載のアーム構造。
【請求項２１】
前記調整ボックスは、前記上部シェルから前記下部カバーを通り下方に伸びる、
請求項２０に記載のアーム構造。
【請求項２２】
前記載置アームは、前記上部シェルから前記下部カバーを通り下方に伸びる、
請求項２０に記載のアーム構造。
【請求項２３】
第１の内端部から第２の外端部に伸びる上面と、前記上面から下方に伸びて対向する側部と、を有する上部シェルであって、前記上面と前記対向する側部とによって区切られて当該上部シェル内に内部領域が画定され、前記第１の内端部に前記上部シェルの前記対向する側部を通って内部ピンホールが設けられ、前記第２の外端部に前記上部シェルの前記対向する側部を通って外部ピンホールが設けられた、上部シェルを提供し、
特定の軸を有する旋回構造と、当該旋回構造の軸に垂直な第１の支柱軸を備える第１の支柱載置部と、前記旋回構造の軸に垂直の、調整ボックスを通る内部孔と、当該調整ボックスを通るスロットであって、前記旋回構造の軸に垂直の、複数の旋回位置が設定されているスロットと、を備える調整ボックスを提供し、
前記調整ボックスの前記内部孔を通り、前記上部シェルの前記内部ピンホールを通って伸びる内部ピンであって、前記調整ボックスが、前記第１の内端部で前記上部シェルの対向する側部に旋回可能に取り付けらる内部ピンを提供し、
特定の軸を有するアーム旋回構造と、前記アーム旋回構造の軸に垂直な載置アームを通って画定される支柱アーム載置孔と、前記アーム旋回構造の軸に垂直で、前記第１の支柱軸と同軸であり、当該載置アームを通って画定されるバイアス部材旋回孔と、を備える載置アームを提供し、
前記バイアス部材旋回孔を通り、前記外部ピンホールを通って伸びる外部ピンであって、前記載置アームが、前記第２の外端部で前記上部シェルの前記対向する側部に旋回可能に取り付けられる、外部ピンを提供し、
前記載置アームの前記支柱アーム載置孔と、前記調整ボックスの前記内部孔と、の間に延在する支柱を旋回可能に接続し、
前記載置アームの前記バイアス部材旋回孔と、前記複数の旋回位置のいずれか１つと、の間で、前記スロットと関連して、旋回可能にバイアス部材を取り付ける工程を備え、
前記上部シェル、前記調整ボックス、前記載置アーム、及び前記支柱と、の間で、四棒リンク機構が形成され、
前記支柱と前記バイアス部材とは、前記上部シェルの前記内部領域内に配置され、
前記調整ボックスの前記旋回構造と、前記載置アームの前記アーム旋回構造とは、前記上部シェルの前記内部領域から外側に伸びる、
ことを特徴とする方法。
【請求項２４】
前記上部シェルの前記対向する側部の間に延在する、下部カバーを取り付ける工程を更に備える、
請求項２３に記載の方法。
【請求項２５】
前記調整ボックスの前記旋回構造は、前記上部シェルから前記下部カバーを通り下方に伸びる、
請求項２４に記載の方法。
【請求項２６】
前記載置アームの前記アーム旋回構造は、前記上部シェルから前記下部カバーを通り下方に伸びる、
請求項２４に記載の方法。
【請求項２７】
前記上部シェルは、アルミニウムで形成されている、
請求項２３に記載の方法。
【請求項２８】
前記上部シェルが、更に粉状被覆層を備える、
請求項２３に記載の方法。
【請求項２９】
前記載置アームの前記アーム旋回構造を、モニターに接続する工程を更に備える、
請求項２３に記載の方法。
【請求項３０】
前記スロットは、円弧状である、
請求項２３に記載の方法。  
【発明の詳細な説明】
【技術分野】
【０００１】
本発明は、機械的アームの技術分野に関する発明である。特に、本発明は、改良された高さ変更可能な機械的アーム構造及び方法に関する。
【背景技術】
【０００２】
機械的アームは、例えば、限定されないが、表示画面、タッチスクリーン又はモニターなど、しばしば広範囲な種類の装置を支持するために使用される。そのような機械アームは、しばしば静的、調整可能な、及び／又は移動可能であるいずれかの支持部を備える。そして、位置決め、又は移動することで、横方向移動、回転、傾斜、及び／又は高さの変更が可能である。
【発明の概要】
【発明が解決しようとする課題】
【０００３】
機械的アームは、しばしば生物学的に敏感な広範囲な環境において、使用される。例えば、限定されないが、病院、研究室、医科、及び／又は歯科のオフィス、及びホスピスにおいて使用される。しかしながら、多くの従来の機械的アームは、しばしば、限定されないが、カバー、締結部、調整部、旋回軸などの構造を含む。これらは、例えば、ほこり、ごみ、油脂、細菌、血液、汗、化学物質、及び／又は他の物質によって、容易に汚染される。同様に、このように露出された機械的構造は、高度に、又は完全には洗浄することはできない。
【０００４】
同様に、いくつかの従来の機械的アームは、調整可能な高さを備えているが、そのようなアームは、概して、頻繁に調整し、過度に使用するようには設計されていない。多くのそのような構造にとって、スクリーンの動きは、通常は緩く、結合部は、すぐに緩くなる。更に、そのような設計は、通常、つまみ部、及び／又は露出した間隙を含んでおり、これらは、容易に洗浄することはできない。
【０００５】
従って、汚染のリスクを軽減する機械的アーム構造を提供することは、有益である。そのような構造の発展は、大きな技術的進歩をもたらすことになる。同様に、そのような構造は、高度な清浄性を備えるという更なる利点もある。このような構造の発展は、更なる技術的進歩をもたらすことになる。
【０００６】
いくつかの従来の機械的アームは、角度範囲について、なんらかの調整ができるようになっていたが、そのような設計は、位置の全範囲に亘って、高い性能を与えていない。例えば、機械的アームは、モニターの動く範囲の中央領域内では、適切な支持ができるように調整できる。もし所望の高い位置でモニターを保持するように、組立体の摩擦力が増加しない場合、動きの幅のうち上部に向う部分でそのようなアームの調整をすると、中央に向って下方に戻ることになる。同様に、もし所望の低い位置でモニターを保持するように、組立体の摩擦力が増加しない場合、動きの幅のうち下部に向う部分でそのようなアームの調整をすると、中央に向って上方に戻ることになる。
【０００７】
調整可能な高さを有するいくつかの従来の機械的アームには、一端部に旋回部を有するガススプリングが使用されており、ネジ又はボルトの周囲に設置される。このような構成におけるネジまたはボルトの調整をすることで、スプリングの旋回部は、ボルトの軸の移動と同軸の線に沿って移動することになる。従って、てこの作用、すなわちガススプリングによる機械効率により、相違する重さ、相違する負荷のいずれかを変化させる。いくつかのそのような設計において、ネジ又はボルトは、相違する重さが釣り合うことができるような角度で、取り付けられる。
【０００８】
よって、選択された位置にアームが保持されるように摩擦を与えるという過度な要求をすることなく、広範囲の動きを通して、高い調整力を備えるような機械的アーム構造を提供できることは有益である。このような構造の発展は、重要な技術的進歩をもたらす。
【課題を解決するための手段】
【０００９】
改良された高さ変更可能な載置アームは、改良された清浄性及び／又は、改良された高さ又は釣り合いの調整、のいずれかを許容する構造からなる。典型的な改良された高さ変更可能なアームは、載置アームの上部及び側部領域の上に全体的に伸びて、四棒リンク機構を形成する、上部シェル構造を備える。下部カバーは、アームの底部を横切って上部カバーに設けられ、アームの対向する端部を伸長するように、カバーを通る孔を形成する。高さ変更可能なアームは、バイアス部材を更に備え、バイアス部材の一端部は、特定の湾曲部、非線形通路、又はスロットと関連して、例えば、湾曲したスロット内に、調整されて固定できる。高さ変更可能なアームは、好ましくは、構造物の高さ、又は釣り合いのいずれかを調整する機構を更に備える。
【図面の簡単な説明】
【００１０】
【図１】典型的な改良された高さ変更可能なアームの部分側部切断図である。
【図２】典型的な改良された高さ変更可能なアームの側面図である。
【図３】典型的な改良された高さ変更可能なアームの下部斜視図である。
【図４】典型的な改良された高さ変更可能なアームの一部の部分側部切断図である。
【図５】典型的な調整ボックスの詳細な側面図である。
【図６】典型的な改良された高さ変更可能なアームの調整ボックスと、調整ブロックの部分組立図である。
【図７】典型的な改良された高さ変更可能なアームを備えた構造組立体の斜視図である。
【図８】典型的な改良された高さ変更可能なアームを備えた構造組立体の側面図であり、調整ブロックが調整ボックスに関連して第１の位置に配置されている。
【図９】典型的な改良された高さ変更可能なアームを備えた構造組立体の側面図であり、調整ブロックが調整ボックスに関連して第２の位置に配置されている。
【図１０】典型的な改良された高さ変更可能なアームと、取り付けられた載置システムの取り付け配列を示す。
【図１１】略上方位置における典型的な改良された高さ変更可能なアームの斜視図である。
【図１２】略水平位置における典型的な改良された高さ変更可能なアームの斜視図である。
【図１３】略下方位置における典型的な改良された高さ変更可能なアームの斜視図である。
【図１４】略下方位置における典型的な改良された高さ変更可能なアームを備える載置構造の斜視図である。
【図１５】略水平位置における典型的な改良された高さ変更可能なアームを備える載置構造の斜視図である。
【図１６】略上方位置における典型的な改良された高さ変更可能なアームを備える載置構造の斜視図である。
【図１７】改良された高さ変更アームをそのままで調整する典型的な方法のフローチャートである。
【図１８】改良された高さ変更アームの洗浄をそのままで調整する典型的な方法のフローチャートである。
【図１９】典型的な改良された高さ変更可能なアームを備えた載置構造の概略図であり、その構造は、溝と接続されるように構成されている。
【図２０】典型的な改良された高さ変更可能なアームを備えた載置構造の概略図であり、その構造は、カートと接続されるように構成されている。
【図２１】典型的な改良された高さ変更可能なアームを備えた載置構造の概略図であり、その構造は、底部載置部を有するモニターと接続されるように構成されている。
【図２２】典型的な改良された高さ変更可能なアームと後部伸長アームを備えた載置構造の概略図であり、その構造は、溝と接続されるように構成されている。
【発明を実施するための形態】
【００１１】
図１は、典型的な改良された高さ変更可能なアーム１０の部分側部切断図である。当該アームは、好ましくは、高さ調整可能なアーム１０の釣り合いをとるガススプリングを備える。図２は、典型的な改良された高さ変更可能なアーム１０の側面図８０である。図３は、典型的な改良された高さ変更可能なアーム１０の下部斜視図１００である。図２及び３に示した典型的な改良された高さ変更可能なアームは、好ましくは、汚染を防止し清浄性を保つように、例えば病院環境内に設置する等のために、外部構造１２を備える。改良された高さ変更可能なアーム１０は、例えば、限定されないが、モニター２５２（図１０）を支持するアームシステム３００、例えば、３００ａ（図１４）から構成され、その中に実装されている。
【００１２】
図１に示すように、改良されたアーム支柱構造２０は、調整ボックス３０と載置アーム３２との間で、第１の内端部２１ａから第２の外端部２１ｂへ向かって延在する。
【００１３】
載置アーム３２は、支柱３４と上部シェル１２とによって、調整ボックス３０から懸架されている。支柱３４と上部シェル１２の双方は、調整ボックス３０と載置アーム３２との間で、旋回可能に接続されている。支柱３４は、例えば、外部支柱ピン又は締結部材６２によって、旋回可能に載置アーム３２に接続され、内部支柱ピン又は締結部材６４によって、旋回可能に調整ボックス３０に接続されている。載置アーム３２は、１以上の外部ピン４３によって、旋回可能に上部シェル１２に接続される一方、調整ボックス３０は、１つ以上の内部ピン４４によって、旋回可能に上部シェル１２に接続されている。バイアス部材３６、例えば、限定されないが、ガススプリング３６も、調整ボックス３０と載置アーム３２との間に取り付けられている。そして、調整ボックス３０に対して、複数の位置１５０、例えば、１５０ａ〜１５０ｋ（図５）の位置の範囲内において、調整可能である。
【００１４】
図２に示すように、外部ピン４３と内部ピン４４との間で接続される上部シェル１２の構造は、載置アーム３２、調整ボックス３０、及び支柱３４と結合して、平行な、すなわち四棒リンク機構９４として画定され操作される。そして、載置アーム３２の前部は、好ましくは、動く範囲に亘って、その角度を維持できる。改良された高さ変更可能なアーム１０のいくつかの実施形態において、載置アーム３２の前部は、四角形を維持し、例えば、全負荷及び全方向において、水平面に対して同一平面、あるいは押圧力３３に対して垂直で、例えば、＋１度の範囲で、下方向は０度まで維持する。
【００１５】
図１に示す典型的なバイアス部材３６は、ガススプリング支柱３６より構成され、例えば、スタビラス（Stabilus）社（カルマー、ペンシルバニア州）を介して入手可能である。例えば、バイアス部材３６のひとつの本実施形態は、ガススプリング支柱からなる。当該ガススプリング支柱は、全長９．２７インチ、８５mmの特定ストロークがあり、最大押圧力は１０００ニュートンである。図１に示す典型的なバイアス部材３６は、ガススプリング支柱３６から構成されるが、他のバイアス部材３６を代替的に使用することができ、例えば、限定されないが、コイルスプリング支柱３６が該当する。そして、更に、ダンパー部材を備え、例えば、限定されないが、エアーダンパー、オイルダンパー、弾性ダンパー、又はこれらの組み合わせのいずれかである。
【００１６】
載置アーム３２は、典型的には、外部負荷、例えば、モニター２５２に接続され、押圧力３３が、載置アーム３２を介して、アーム支柱構造２０に加わる。図１に示すアーム支柱構造２０も、旋回調整メカニズム５０を備える。ガススプリング３６の基部旋回部４１の位置は、例えば、調整ボックス３０を通って画定される湾曲スロット４０に沿って、調整可能４０６（図１７）であり、高さ変更可能なアーム１０に装着された外部負荷２５２（図１０）の動き全体亘って、１以上の所望の位置１５０（図５）において制御可能に釣り合う。
【００１７】
調整ボックス３０が、改良された高さ変更可能なアーム１０の内部カバー開口部２６を通って延出し、旋回調整ネジ５２へのアクセスを備えるので、 図１及び２に示す旋回調整機構５０は、改良された高さ変更可能なアーム１０の下部１６ｂからアクセス可能である。従って、図１及び２に示す典型的な改良された高さ変更可能なアーム１０は、別のカバー、例えば、改良された高さ変更可能なアーム１０の内端部２１ａの側部、上部、及び後部に亘るカバーを、必要としない。
【００１８】
調整ブロック６０は、ネジ山１４０を有する旋回調整ネジ５２（図４）に螺合される。旋回調整ネジ５２は、調整ボックス３０を通って延出し、例えば、ツール１７０（図６）によって、調整可能１７４（図６）である。ツール１７０は、好ましくは、ソケット、六角キー、スクリュードライバー、又は他のドライバー、例えば、Torx（登録商標）ドライバーのいずれかからなる。
【００１９】
改良された高さ変更可能なアーム１０の実施形態は、好ましくは、所望の重さの範囲内に特定される。例えば、限定されないが、５〜２０ポンドの重さを有し装着されるモニター又はスクリーン２５２である。ガススプリング３６は、湾曲スロット４０に沿って調整可能４０６であり、高さ変更可能アーム１０と、特定の重さ以上の装着された外部負荷３１０とを制御可能に釣り合わせる。
【００２０】
図１及び２に示す典型的な改良された高さ変更可能なアーム１０は、実質的に上部シェル１２により封入されている。上部シェル１２は、内端部２１ａから外端部２１ｂまで延在しており、上部１６ａから下部１６ｂに向かって下方に延びて対向する側部８２ａ、８２ｂからなる。そして、内部領域１４が、その内部に画定される。
【００２１】
図１及び２に示す典型的な改良された高さ変更可能なアーム１０において、上部シェル１２の対向する側部８２ａ、８２ｂの各々は、そこを通る外部ピンホール８４と、内部ピンホール８６を含む。そして、調整ボックス３０と載置アーム３２とは、シェル１２の内部領域１４内に回転可能に固定される。例えば、対向する外部ピン４３は、外部ピンホール８４を介して、対応する載置アーム３２の内部ピンホール３８内に押圧可能である。同様に、対向する内部ピン４４は、典型的には内部ピンホール８６を介して、対応する調整ボックス３０の内部ホール４２内に押圧可能である。
【００２２】
図１及び２に示す典型的な改良された高さ変更可能なアーム１０は、更に下部カバー１８により実質的に封入される。当該カバーは、内側端２１ａから外側端２１ｂまで、アーム１０の底部１６ｂに亘って延在している。図１、２及び３に示す典型的な改良された高さ変更可能なアーム１０において、下部カバー１８は、好ましくは、１以上の締結孔１０２を備える。締結部材１０４は、典型的には、下部カバー１８を上部カバー１２に取り付けるために使用され、例えば、上部シェル１２内に設けられた締結ボス１１０（図３）の中に入れられる。
【００２３】
図１、２及び３に示す改良された高さ変更可能なアーム１０は、対向するシェル１２、１８を互いに接続するための典型的な締結部１０４を示すが、他の実施形態では、取り付ける他の手段を選択的に提供している。例えば、隠れた留め具、ラッチ、戻り止め具、リッジ、又は他の保持具、すなわち、製造コストを低減し、組立の質を向上させ、使用中の汚染を低減し、及び／又は、改良された高さ変更可能なアーム１０の清浄性を向上させるいずれかのものが該当する。
【００２４】
図１及び３に示す典型的な下部カバー１８は、更に、調整ボックス３０に付随する内部開口部２６と、載置アーム３２に付随する外部開口部２２を備える。内部カバー２８は、内部開口部２６内の調整ボックス３０の延出部１２８、１３０（図４）の周囲を覆うが、外部カバー２４は、外部開口部２２内の載置アーム３２の周囲を覆う。
【００２５】
図２及び３に示すように、改良された高さ変更可能なアーム１０は、好ましくは、例えば、病院環境における汚染を防止し、清浄性を許容する外部構造を備える。例えば、図２及び３に示すように、上部シェル１２、下部カバー１８、外部カバー２４、及び内部カバー２８は、清浄であり、滑らかであり、十分に密閉されており、移動する部材は、カバー２４、２８を介して底部１６ｂから外部に抜け出ている。
【００２６】
図２および３に示す典型的な改良された高さ変更可能なアーム１０において、締結部材、例えば、１０４は、露出された面である上部１６ａ、又は側部８２ａ、８２ｂ上で、視認できる状態ではない。外部ピン４３と内部ピン４４は、典型的には、それぞれ外部ピンホール８４と内部ピンホール８６を介して、延出している。外部ピン４３と内部ピン４４は、好ましくはステンレススチールで形成されており、上部シェル１２の側部と同一平面でありほぼ平坦な外部表面を有し、容易に清浄できる。改良された高さ変更可能なアームの変型実施形態において、外部ピン４３と内部ピン４４は、好ましくは、外部シェル１２の内部領域１４内に保持され、外部ピンホール８４及び内部ピンホール８６は不要である。
【００２７】
いくつかの実施形態では、上部シェル１２は、強度及び剛性の点でダイキャストアルミニウム体からなり、更に、滑らかな粉体塗装９０が施され（図２）、例えば、耐久性のある美的仕上げが施されている。粉体塗装仕上げ９０は、好ましくは、更に、抗菌添加剤、例えば、限定されないが、デラウエア州、ウィルミングストンに所在するデュポン・ネモル（DePont de Nemours）社を介して入手可能なAlesta（登録商標）AM粉体塗装９０を備える。上部シェル１２の上部及び側部は、好ましくは、連続的な滑らかな金属表面、すなわち、締結部材又はプラスティックカバーのない表面からなる。そして、好ましくは、洗浄が難しい間隙、リッジ、又は狭い角部がなく、又は重い材質ではない。
【００２８】
いくつかの実施形態では、下部カバー１８と遮蔽カバー２４、２８は、好ましくは、例えば、、特有な外形と遮蔽案内トラック機能を備えるように、射出成形されたプラスチックから形成される。下部カバー１８、遮蔽カバー２４、２８、及び／又は、プラスチックで形成された他の部材は、好ましくは、水、洗浄剤、殺菌剤、及び／又は、他の化学物質、溶液のいずれかに耐性のある、ポリマーからなる。例えば、下部カバー１８、遮蔽カバー２４、２８、及び／又は改良された高さ変更可能なアーム１０と関連する他の部材、に関するいくつかの実施形態は、ポリマーを備え、例えば、限定されないが、ポリプロピレン（ＰＰ）又はポリエチレン（ＰＥ）のいずれである。いくつかの実施形態は、更に、１つ以上の添加剤を備える。例えば、限定されないが、抗菌性添加剤、又は紫外線（ＵＶ）劣化を防止する添加剤のいずれかである。部材の化学的適合性は、好ましくは以下のいずれかにより達成できる。
・ＡＳＴＭ Ｄ５４３−６  基準
・機械的強度の損失の決定、及び／又は
・表面の清浄性が減少することを追跡又は増進するいずれかの検査
【００２９】
外部カバー遮蔽部２４及び内部カバー遮蔽部２８は、好ましくは、スライド可能な、柔軟性のある部材で形成され、例えば、載置アーム３２と調整ボックス３０とを異なる調整可能な位置となるように、実質的に外部カバー開口部２２及び内部カバー開口部２６を閉塞する。カバー遮蔽部２４、２８は、下部カバー１８に関連する溝内において、スムーズで静かな操作をするように、たとえば、拘束されることによって、下部カバー１８に対して、追従して案内される。
【００３０】
図４は、典型的な改良された高さ変更可能なアーム１０の一部の部分側断面図１２０である。図５は、典型的な調整ボックス３０の詳細な側面図１４０である。図６は、典型的な改良された高さ変更可能なアーム１０の調整ボックス３０と調整ブロック６０の一部組立図１６０である。
【００３１】
図４に示すように、ガススプリング３６の底部における旋回部４１は、異なる重さ、及び／又は異なる位置で調整可能に釣り合うように、例えば、限定されないが、モニター、表示スクリーン、又は他の装置２５２（図１０）を支持するように、湾曲スロット４０内で調整可能に拘束されている。いくつかの従来技術のシステムは、バイアス部材のための複数の位置間での、直線状の調整を備えていたが、そのようなシステムは、異なる負荷、例えば、押圧力３３の釣り合いを適切に調整することはできなかった。一方、改良された高さ方向調整可能なアーム構造１０は、バイアス部材のための非直線状又は湾曲通路４０を備えており、異なる負荷３３、システム配置、弾性の累進性、又はこれらの組合せのいずれかを、直線状の通路ではできない方法で、補強することができる。
【００３２】
図４に示す典型的な調整ボックス３０は、本体部１２６、本体部１２６から延出する下部本体部１２８、更に下部本体部１２８から伸びる下部伸長部１３０から構成され、伸長アーム２４６（図１０、図１４）と接続する手段を備える。更に、図４に示すように、１つ以上の側部遮蔽部１３８は、上部シェル１２の内部領域１４内の、調整ボックス３０の本体部１２６と対向して、配置される。
【００３３】
１つ以上の支柱支持タング１２９は、本体部１２６から伸長し、そこを通って画定される上部旋回ホールを有する。内部支持ピン６４は、上部旋回ホールを通って、旋回可能に支柱３４に取り付けられる。複数の下部支持タング１２４は、本体部１２６から伸長しており、その間に、中央中空円弧支持領域１２２が画定されている。１つ以上の湾曲した、非直線状の、アーチ状の、又は円弧状のスロット４０も、本体部１２６を介して画定され、例えば、対向する下部支持タング１２４を通って画定される一対の対向するスロット４０を備える。
【００３４】
図４に示す典型的な調整ボックス３０は、旋回調整機構５０を備え、バイアス部材３６の位置１５０が、制御可能に調整１７４される（図６）。例えば、調整ブロック６０は、ネジ孔１４２を有し、中央中空円弧支持領域１２２内に配置される。図６に示すように、調整ブロック６０も、そこを通る調整ブロックスロット１６２を備え、好ましくは、直線状スロット１６２から、例えば、水平状又は傾斜状スロットから構成される。
【００３５】
調整ブロック６０は、ネジ山１４０を有する調整ネジ５２とねじ止めされて係合可能であり、調整ネジ５２は、調整ボックス３０を通って延出し、例えば、ツール１７０（図６）によって調整可能である。ツールは、好ましくは、ソケット、六角キー、スクリュードライバー、又は他のドライバー、例えば、Torx（登録商標）ドライバーのいずれかにより構成される。従って、改良された高さ変更可能なアーム１０の内部釣り合いが、調整され、それによって、負荷は、最終ユーザによる最小限の力で、移動させることができる。改良された高さ変更可能なアーム１０のいくつかの実施形態において、バイアス部材３６は、ガススプリング３６で構成され、円滑な動きと一定なばね定数を与える。アーム１０の１つの本実施形態において、載置された装置２５２を移動させるために必要な最大の力は、上下方向に、約５ｌｂｆである。小さな負荷、すなわち、タイピングやスクリーンにタッチするような負荷の場合に、横滑りや望ましくない移動をしない。
【００３６】
調整ネジ５２の回転１７４により、調整ブロック６０は、垂直方向に移動する。例えば、調整ネジ５２を締め付ける１７４ｓことで、調整ブロック６０が下方向１６４ｄ（図６）に移動し、基部旋回部４１は、湾曲４０内で位置１５０の間で、略下方向に移動し、そして、略前方向、すなわちネジ１５２から離れ、調整ブロックスロット１６２の交差位置１６６へと移動する。同様に、調整ネジ５２を緩めると１７４ｕ、調整ブロック６０が上方向へ移動１６４ｕ（図６）する。基部旋回部４１は、湾曲４０内の位置１５０の間で略上方向に移動し、そして、略後方向、すなわち、ネジ１５２に向かって、調整ブロックスロット１６２の交差位置１６６まで移動する。
【００３７】
従って、改良された高さ変更可能なアーム１０は、載置機構３００、例えば３００ａ（図１４）内で、取付前又は後において、容易に調整可能である。例えば、改良された高さ変更可能なアーム１０は、
・予め選択された負荷に基づいて、予め調整される。
・取付中又は取付後に調整される。及び／又は
・再調整、例えば、正確に調整する、適用された負荷を変更する、又は年月や磨耗を補完するように調整することのいずれかために、再調整される。
【００３８】
図７は、典型的な改良された高さ変更可能なアーム１０を備えるアーム支柱構造組立体２０の斜視図１８０である。図８は、典型的な改良された高さ変更可能なアーム１０を備えるアーム支柱構造組立体２０の側面図２００である。図中、ガススプリング基部旋回部４１は、位置１５０、例えば、調整ボックス３０に関連する位置１５０ａに配置される。図９は、典型的な改良された高さ変更可能なアーム１０を備えるアーム支柱構造組立体２０の側面図２２０であり、図中、ガススプリング旋回部４１は、別の位置１５０、例えば、調整ボックス３０と関連する位置１５０ｋに配置される。図６及び８に示すように、ツール１７０は、バイアス部材３６によりアーム機構２０が得られる機械効率を、調整するために、容易に用いることができる。調整ネジ２０を回すことで、１６４へ動き、例えば、１６４ｕ、１６４ｄのように動き、調整ブロック６０は、ネジ山１４０、１４２と係合することで調整ネジ５２と平行に移動する。そして、調整ブロックスロット１６２内と同様に、湾曲又は非線形スロット４０内で、基部旋回部４１を動かす。
【００３９】
図１０は、典型的な載置環境内、すなわち、載置システム３００、例えば、載置システム３００ａ（図１４）内の、典型的な改良された高さ調整可能なアーム１０に関連する配置２４０を示す。例えば、下部伸長アーム２４６は、下部載置部２４２に旋回可能に載置されてもよい。図１０に示す典型的な構造において、高さ変更可能なアーム１０は、例えば、調整ボックス３０の下部伸長部１３０を介して、伸長アーム２４６に旋回可能に載置される。図１０に更に示すように、モニター２５２は、例えば、モニター伸長載置部２５０を介して、改良された高さ変更可能なアーム１０の載置アーム３２に、載置可能である。典型的な改良された高さ変更可能なアーム１０は、例えば、モニター２５２の傾斜角度２５４を制御するために、複数の位置を備える。図１０に概略的に示した典型的な改良された高さ変更可能なアーム１０は、約８．５インチの長さを有し、水平方向から、上方向及び／又は下方向に調整可能である。例えば、水平方向から約６インチ上方向に動いた約４５度上方向から、水平方向から約６インチ下方向に動いた約４５度下方向まで調整可能である。図１０に示す典型的な構造は、取付けたモニター２５２の載置面と載置アーム３２の中心との間に、約４インチという近接する間隙を有する。
【００４０】
第１の伸長アーム２４６は、典型的には、所定の高さと幅を備える中実アームからなる。例えば、図１０は、典型的な固定された伸長アーム２４６を示し、約７インチの幅を有し、載置位置上で、約１０〜１４インチの高さを有する。例えば、典型的には約３インチの高さを有する下部載置部２４２を含む
【００４１】
図１１は、基部旋回部４１（図６）により定められる位置１５０に基づく略上方向の位置２７２、例えば、２７２ａに位置する典型的な改良された高さ変更可能なアーム１０の斜視図２７０である。図１２は、略水平方向の位置２７２、例えば２７２ｅにおける典型的な改良された高さ変更可能なアーム１０の斜視図２８０である。図１３は、略下方向の位置２７２、例えば、２７２ｋにおける典型的な高さ調整可能なアーム１０の斜視図２９０である。
【００４２】
「載置構造」
図１４は、載置構造３００、例えば、３００ａの斜視図であり、略下方向の位置２７２、例えば、２７２ｋに、典型的な改良された高さ変更可能なアーム１０を備える。図１５は、略水平方向の位置２７２、例えば、２７２ｅに、典型的な改良された高さ調整可能なアーム１０を備える載置構造３００ａの斜視図３２０である。図１６は、略上方向位置２７２、例えば、２７２ａに、典型的な改良された高さ調整可能なアーム１０を備える載置構造３００ａの斜視図３４０である。
【００４３】
高さ変更可能なアーム１０以外の載置構造３００の部材は、汚染を防止し、改善された清浄度を備えるために、好ましくは、高さ変更可能なアーム１０と同様な構造及び材料で構成されている。例えば、伸長アーム２４６の上部と側部は、好ましくは、連続的で滑らかな金属表面を備え、例えば、締結部材又はプラスチックカバーはない。そして、好ましくは、洗浄を困難にする間隙、リッジ、又は狭い角部はなく、又は重い材質でもない。
【００４４】
改良された高さ変更可能なアーム１０を備える典型的な載置システム３００内では、スクリーンの傾きは、例えば、２０度以上垂直以下の範囲で、好ましくは調整可能である。いくつかの実施形態において、この調整の範囲は、アーム１０の動きの範囲内のいずれの位置においても、確保される。傾斜機構は、好ましくは、摩擦に依存し、傾斜機構には追加の釣り合いは不要である。改良された高さ変更可能なアーム１０を有する典型的な載置システム３００内において、スクリーンは、典型的には、どちらかの側に９０度まで旋回してもよく、アーム１０前方において、傾斜／旋回機構、例えば、２５０は、この回転の限度において、改良された高さ変更可能なアーム１０と、関係性を阻害しない、すなわち、接触しない。
【００４５】
図１４に示すモニターインターフェイス３１４は、好ましくは、７５ｍｍ及び１００ｍｍのVESAホールパターンのどちらか、又は両方を収容する。これらは、例えば、Video Electronics Standards Association(VESA) Flat Display Mounting Interface(FDMI)、例えば、VESA FDMI 2006に基づく。
【００４６】
「改良された高さ変更可能なアームの調整」
図１７は、改良された高さ変更可能なアーム１０を、その位置で釣り合い調整することに関連する典型的な処理４００のフローチャートである。例えば、改良された高さ変更可能なアーム１０は、典型的には、例えば、予定された実装３００に基づいて、事前に調整されて１７４（図６）、提供される４０２。いくつかの実施形態において、改良された高さ変更可能なアーム１０は、他の付随するハードウェア及び負荷２５２、例えば、モニター２５２と共に、設置４０４される。改良された高さ変更可能なアーム１０のネジ機構５２は、所望の位置２７２で所望の釣り合いをするように、容易に調整され、例えば、調整ネジ５２を回すことで、１６４へ動き、例えば、１６４ｕ、１６４ｄへと動き、ネジ山１４０、１４２と係合することで、調整ブロック６０を、調整ネジ５２と平行に移動させる。そして、調整ブロックスロット１６２内と同様に、湾曲又は非線形スロット４０内で基部旋回部４１を移動させる。
【００４７】
典型的な改良された高さ変更可能なアーム１０は、ここでは、調整ブロック６０と係合する調整ネジを有する旋回調整機構５０を備え、湾曲又は非線形スロット内で旋回部を移動させるように説明するが、変型機構５０では、湾曲又は非線形スロット４０内の所望の位置１５０に、基部旋回部４１を調整可能に位置決めするように、適切に実装されると理解すべきである。例えば簡略化されたアーム構造１０において、基部旋回部４１は、湾曲又は非線形スロット４０に対して所望の位置１５０で締結されるボルト又はネジ４１から構成されてもよい。
【００４８】
「改良された高さ変更可能なアームの洗浄」
図１８は、改良された高さ変更可能なアーム１０をその位置で洗浄することに関する典型的な処理４４０のフローチャートである。例えば、一旦、改良された高さ変更可能なアーム１０が、使用される４４２と、改良された構造は、本質的な汚染物の付着又は積層を減少させる。所望すれば、ユーザ、例えば、限定されないが、病院関係者は、改良された構造１０に掃除機をかける、及び／又は下方へのふき取り４４６を行い、それにより、改良された構造は、容易に洗浄される。
【００４９】
改良された高さ変更可能なアーム１０は、幅広い種類の載置構造３００において、容易に使用することができる。例えば、改良された高さ変更可能なアーム１０は、人間工学的に、平坦なスクリーン又は小さいモニター２５２を位置決めすることが必要とされるヘルスケア機関で、容易に実装することできる。改良された高さ変更可能なアーム１０は、壁、台、作業面、又は移動可能な構造を載置する際に、高度に洗浄可能で、耐久性のある溶液を、備える。
【００５０】
図１９は、改良された高さ変更可能なアーム１０を備える載置構造３００ｂの概略図４６０であり、構造３００ｂは、溝４６４と接続するように構成されている。図１９に示すように、中間溝載置部４６２は、限定されないが病室の壁の上の静的な溝４６４、又は移動可能な構造を備える溝４６４に、直接的、又は間接的に接続するように、適用される。典型的な壁用溝４６４は、カリフォルニア州、ペタルマ所在のＧＣＸ社から入手可能である。溝載置部４６２は、好ましくは、作業面、たとえば、3/8"〜2.5"の厚さの範囲を有する適切な面に対して、溝４６４に沿っていかなる位置、すなわち所望の垂直位置、又は所望の水平位置に位置決め又は移動することができる。いくつかのシステムの実施形態３００では、溝４６４は、挟まれて、あるいはボルト止めされてる。
【００５１】
図２０は、改良された高さ変更可能なアーム１０を備える載置構造３００cの概略図４８０である。当該構造は、作業面４８４、カート、又はデスク４８６に接続するように構成されている。例えば、改良された高さ変更可能なアーム１０は、中間載置部４８２に、固定的又は旋回的に載置されており、カート又はデスク４８６に関連して固定される。従って、改良された高さ変更可能なアーム１０により、例えば、病院やオフィス環境内で、平坦なパネル状のディスプレイを、テーブル上またはデスク上に、容易に取り付けることができる。改良された高さ変更可能なアーム１０は、好ましくは、テーブル又は作業面４８４からスクリーン２５２をはずすように位置決めするのに使用される。更に、人間工学的調整、例えば、高さ調整、左右調整、スクリーン傾斜調整、及び／又は旋回調整のいずれかの調整を行うことができる。図１０に示すように、載置システム３００は、伸長アーム２４６に載置された改良された高さ変更可能なアーム１０から構成され、この組合せ構造により、アーム１０、２４６は、互いに回転し、例えば、前後調整をすることができる。
【００５２】
図１４、１５及び１６に示したモニター２５２は、後部モニターブラケット３１４に取り付けられるように構成されているが、他のモニター２５２が、別の位置から載置されること要することとしてもよい。例えば、図２１は、改良された高さ変更可能なアーム１０を備える載置構造３００ｄの概念図５００である。中間モニター載置部３１６ｂは、底部載置部５０２を有するモニター２５２と接続されるように構成してもよい。
【００５３】
図２２は、典型的な改良された高さ変更可能なアーム１０と、後部伸長アーム２４６とを備える載置構造３００ｅの概念図５２０である。構造３００ｅは、例えば、ブラケット４６２を介して、溝４６４又は壁と、接続されるように構成されている。図２２に示す典型的な後部伸長アーム２４６は、略水平な伸長部２４６を備えるが、伸長アーム２４６は、広範囲な角度の何れ対しても、選択的に構成され、それ自身調整可能であると理解すべきである。載置構造３００ｅは、所望するように、横方向に容易に調整できる。例えば、溝４６４及び／又は壁に対して伸長アーム２４６を旋回させ、伸長アーム２４６に対して高さ変更可能なアーム１０を旋回させ、及び／又は改良された高さ変更可能なアーム１０に対して、例えば載置部３１６ａを介してスクリーン２５２を旋回させることで調整できる。
【００５４】
改良された高さ変更可能なアーム１０は、好ましくは、幅広い装置２５２、例えば、限定されないが、患者モニター、平坦なパネルディスプレイ、及び／又はキーボードのワークステーションに、使用されてもよい。改良された高さ変更可能なアーム１０、好ましくは、幅広い病院環境、例えば、限定されないが、ＥＤｓ、医療外科施設、集中治療室（ＩＣＵ）、手術室、試験研究所、診療所、オフィス、及び／又は共通領域の中に、設置されてもよい。改良された高さ変更可能なアーム１０は、好ましくは、病院又はクリニックの壁に設置され、又は、建築上の頭壁、柱、レールシステム、又は麻酔装置に適用されてもよい。例えば、改良された高さ変更可能なアーム１０は、好ましくは、ナースの中央ステーションあるいは遠隔測定マルチスクリーン観察領域内に設置され、定期的に洗浄しながら、数年に亘るサービス、定期的な調整及び使用ができるようにしてもよい。
【００５５】
改良された高さ変更可能なアーム１０は、好ましくは、広範囲な載置環境内で実施されるが、改良された高さ変更可能なアーム１０のいくつかの実施形態は、好ましくは、特定の製品、例えば、相手先商標製品の製造会社（ＯＥＭ）の製品と一体化される。例えば、大きさ、負荷の幅、高さ調整の幅、材料、及び／又は塗装のいずれかは、好ましくは、対象となる適用に応じて一体化される。そして、改良された高さ変更可能なアーム１０は、対象となる装置及び適用に基づいて、予め調整されていてもよい。
【００５６】
後部伸長アーム２４６は、好ましくは、広範囲な設置のために、改良された高さ変更可能なアーム１０と一体化されてもよい。例えば、テーブル載置システム３００では、後部伸長アーム２４６は、好ましくは、テーブル面から上方に伸長し、アームが移動したときに、テーブル上の紙や物との接触を最小限にする。壁載置システムでは、後部伸長アーム２４６は、好ましくは、水平構造内に設置される。後部伸長アーム２４６は、典型的には、改良された高さ変更可能なアーム１０の下部で、改良された高さ変更可能なアーム１０と固定された載置位置との間に配置される。改良された高さ変更可能なアーム１０は伸長アーム２４６上で十分に回転可能になる。
【００５７】
改良された高さ変更可能なアーム１０のいくつかの実施形態では、いかなる調整についても積極的に固定する必要はないが、改良された載置システムのいくつかの本実施形態では、好ましくは、１つ以上の段階において、例えば、以下のいずれかの段階において、調整可能な摩擦を与えてもよい。
・スクリーン傾斜
・スクリーン旋回
・アーム伸長旋回；及び／又は
・基部旋回伸長
【００５８】
摩擦は、好ましくは、例えば、自由な移動から、各位置で実質的に固定されるまで、継続的に調整してもよい。摩擦の調整は、好ましくは、一般的な手工具、例えは、六角キー又はスクリュードライバーにより調整され、アームの解体は、不要である。
【００５９】
改良された高さ変更可能なアーム１０は、好ましくは、何年も、及び／又は、何千ものサイクルの使用及び移動を提供するが、磨耗や老朽化を補完するために、位置、釣り合い、及び／又は摩擦の調整を、容易に実行することができる。
【００６０】
同様に、改良された高さ変更可能なアーム１０と、その使用方法は、ここでは概略的に記載しているが、改良された高さ変更可能なアーム１０は、特定の仕様のためのさらなる機能を、適切に備えていてもよいと理解すべきである。例えば、好ましくは、改良された高さ変更可能なアーム１０のいくつかの実施形態では、クリップ又はケーブル保持手段が、備えられている。そして、アーム移動中にねじれることなく、アームにそって、ケーブルを位置付けることができる。必要性や要望に応じて、改良された高さ変更可能なアーム１０は、好ましくは、関連する基準に従うようにしてもよい。例えば、限定されないが、医療電気基準、例えば、IEC 60601-1である。同様に、アーム１０の構造に載置される壁と載置構造は、好ましくは、適切な基準、例えば、限定されないが、OSHPD 承認、及び／又は現カリフォルニア建築基準法の順守である。
【００６１】
更に、改良された高さ変更可能なアーム１０及びその使用方法の典型的な実施形態のいくつかは、改良された洗浄性及び改良された釣り合いを有する構造を備えるようにここでは記載しているが、１つ以上の改良を、別途に利用することもできると理解すべきである。例えば、スロット４０は、例えば、改良された釣り合いの調整を行うために、改良された高さ変更可能なアーム１０のいくつかの実施形態では、好ましくは、湾曲又は非線形のスロット４０を備える。しかし、アーム構造のいくつかの実施形態では、改良された洗浄性を備える外部構造を有し、そのなかで開示されたように、そのような釣り合い構造を必要としないと理解すべきである。同様に、改良された釣り合いを備える実施形態では、広範囲な種類の外部シェル構造を有する。
【００６２】
改良された高さ変更可能なアーム及びその方法について、ここでは、医療環境内のモニター支持構造と関連して説明したが、これらの構造と技術は、広範囲な仕様及び環境、又は望まれればこれらの組合せで、実施することが可能である。
【００６３】
例えば、改良された高さ変更可能なアームは、広範囲なビジネス、教育、家庭、リクレーション、フィットネス、又は商業環境に適用可能である。改良された高さ変更可能なアームは、モニター、スクリーン、タッチスクリーン、又は他の装置のいずれかの支持を提供することもできる。
【００６４】
従って、本発明の、特定の好ましい実施形態に関して詳細に説明したが、本発明に属する通常の技術知識を有する者は、以下の請求項の精神と範囲から逸脱することなく、多様な変形例及び改良ができることを理解する。
【００６５】
本出願は、２０１１年３月１８日に出願された米国特許出願１３／０５１８３３番に基づく優先権の利益を主張し、当該米国出願に記載された全ての記載内容を取り込むものである。
【図１】
0005771324.tif 000002
【図２】
0005771324.tif 000003
【図３】
0005771324.tif 000004
【図４】
0005771324.tif 000005
【図５】
0005771324.tif 000006
【図６】
0005771324.tif 000007
【図７】
0005771324.tif 000008
【図８】
0005771324.tif 000009
【図９】
0005771324.tif 000010
【図１０】
0005771324.tif 000011
【図１１】
0005771324.tif 000012
【図１２】
0005771324.tif 000013
【図１３】
0005771324.tif 000014
【図１４】
0005771324.tif 000015
【図１５】
0005771324.tif 000016
【図１６】
0005771324.tif 000017
【図１７】
0005771324.tif 000018
【図１８】
0005771324.tif 000019
【図１９】
0005771324.tif 000020
【図２０】
0005771324.tif 000021
【図２１】
0005771324.tif 000022
【図２２】
0005771324.tif 000023